(57)【要約】【課題】プリントショップに再編集されたプリントデータの出力をプリントショップに対してネットワークに負担を強いることなく、再注文できる利便性に優れたプリントサービスを円滑に支援することである。【解決手段】顧客の注文要求に応じて、編集端末装置１０２により編集済みデータと、該編集済みデータを再編集するための実行ファイルと、該編集済みデータを作成し、該作成された実行ファイルと、該編集済みデータを編集するアプリケーションとを記憶媒体に保存させ、データ処理装置１０５が該記憶媒体に保存されたプリントデータを再利用して、顧客自身が自在に再編集し、該再編集された再プリント注文データをサーバ装置１０１へ送信する構成を特徴とする。【選択図】      図１
2004192393.tif 000002
【特許請求の範囲】
【請求項１】
プリントショップ側に備えるプリンタと通信可能なデータ編集装置と顧客のデータ処理装置とが通信し、該顧客が前記プリントショップに持ち込むデータをプリント注文指示に従って前記プリンタからプリントデータを出力して販売処理する印刷システムであって、
顧客の注文要求に応じて、編集済みデータと、該編集済みデータを再編集するための実行ファイルと、該編集済みデータを編集するアプリケーションとを記憶媒体に保存させる制御手段を備えることを特徴とする印刷システム。
【発明の詳細な説明】
【０００１】
【発明の属する技術分野】
本発明は、プリントショップ側に備えるプリンタと通信可能なデータ編集装置と顧客のデータ処理装置とが通信し、該顧客が前記プリントショップに持ち込むデータをプリント注文指示に従って前記プリンタからプリントデータを出力して販売処理する印刷システムの制御に関するものである。
【０００２】
【従来の技術】
従来、プリントサービスを行うラボショップ等において、顧客が持ち込んだネガ、プリント、電子媒体等を元に、それらに付加価値を与えた形態、例えば年賀状やカレンダ等に加工して出力し、顧客はその結果（印刷物）を得ている。
【０００３】
【発明が解決しようとする課題】
しかしながら前記従来の技術において、顧客は基本的に出力テンプレート、使用する写真、付記する情報等を指定するだけで、トリミング指定等の一部を除いてプリントデータに対して直接的な編集操作を行うわけではなかった。
【０００４】
そのため、最終的な出力結果はプリントショップでの出力が行われるまで分からず、意図した結果が得られない場合があったり、顧客が自分で再編集を行いたい場合でもその手段がなかった。
【０００５】
また、プリントショップの立場では、顧客がショップ以外で編集作業を行えるようにすると、プリントの再利用を見込めなくなるという問題があった。
【０００６】
本発明は、上記の問題点を解決するためになされたもので、本発明の目的は、プリントショップ側に備えるプリンタと通信可能なデータ編集装置と顧客のデータ処理装置とが通信し、該顧客が前記プリントショップに持ち込むデータをプリント注文指示に従って前記プリンタからプリントデータを出力して販売処理する印刷システムにおいて、顧客の注文要求に応じて、編集済みデータと、該編集済みデータを再編集するための実行ファイルと、該編集済みデータを編集するアプリケーションとを記憶媒体に保存させることにより、注文されたプリントデータを顧客自身が自在に再編集して、プリントショップに再編集されたプリントデータの出力をプリントショップに対してネットワークに負担を強いることなく、再注文できる利便性に優れたプリントサービスを円滑に支援できる印刷システムを提供することである。
【０００７】
【課題を解決するための手段】
上記目的を達成する本発明のデータ処理装置は以下に示す構成を備える。
【０００８】
本発明は、プリントショップＰＳ側に備えるプリンタ（例えば図１に示すカラープリンタ１０６）と通信可能なデータ編集装置（例えば図１に示す編集端末１０２）と顧客のデータ処理装置（例えば図１に示すデータ処理装置１０５）とが通信し、該顧客が前記プリントショップに持ち込むデータをプリント注文指示に従って前記プリンタからプリントデータを出力して販売処理する印刷システムであって、顧客の注文要求に応じて、編集済みデータと、該編集済みデータを再編集するための実行ファイルと、該編集済みデータを編集するアプリケーションとを記憶媒体に保存させる制御手段（例えば図７に示すステップ（１）〜（９））を備えることを特徴とする。
【０００９】
【発明の実施の形態】
図１は、本発明の一実施形態を示す印刷処理システムの一例を示す図であり、プリントショップＰＳ側のサーバ装置１０１とユーザのデータ処理装置１０５がネットワーク網１０４を介して通信可能な印刷システムに対応する。
【００１０】
図１において、１０１は前記プリントショップＰＳ内の注文用のサーバ装置で、後述するような制御システムを備えている。１０２は前記プリントショップＰＳ内の編集端末装置で、サーバ装置１０１と同様の制御システムを備えている。
【００１１】
１０３はイントラネットに代表されるローカルエリアネットワークで、サーバ装置１０１と編集端末装置１０２と通信可能に接続する。１０４はインターネットに代表されるネットワーク網で、ＰＣに代表される顧客自宅ＨＯＭＥ内の情報処理端末（データ処理装置）１０５と通信可能に接続される。
【００１２】
また、注文用のサーバ装置１０１と編集端末装置１０２は同一の情報処理端末であっても良いものである。１０６はカラープリンタで、編集端末装置１０２と所定のインタフェースを介して接続され、編集端末装置１０２からの、例えばポストスクリプトで定義されているページデータを解析処理して、指定される用紙にカラー画像を出力可能に構成されている。
【００１３】
図２は、本発明の一実施形態を示すデータ処理装置の構成を説明するブロック図であり、例えばサーバ装置１０１，編集端末装置１０２，情報処理端末１０５の制御システムの概略構成に対応する。
【００１４】
図２において、ＣＰＵ２００は、ＨＤ（ハードディスク）２０５に格納されているアプリケーションプログラム、プリンタドライバプログラム、ＯＳやネットワークプリンタ制御プログラム等を実行し、ＲＡＭ２０２にプログラムの実行に必要な情報、ファイル等を一時的に格納する制御を行う。
【００１５】
ＲＯＭ２０１には、基本Ｉ／Ｏプログラム等のプログラム、文書処理の際に使用するフォントデータ、テンプレート用データ等の各種データを記憶する。２０２はＲＡＭであり、ＣＰＵ２００の主メモリ、ワークエリア等として機能する。
【００１６】
２０３はＦＤ（フレキシブルディスク）ドライブであり、ＦＤドライブ２０３を通じてＦＤ２０４に記憶されたプログラム等を本コンピュータシステムにロードすることができる。２０４はＦＤであり、本実施形態で説明するプログラムおよび関連データを格納しており、その記憶されている内容の構成を図４に示す。
【００１７】
２０５はＨＤであり、アプリケーションプログラム、プリンタドライバプログラム、ＯＳ、ネットワークプリンタ制御プログラム、関連プログラム等を格納している。２０６はキーボードであり、ユーザがクライアントコンピュータに対して、デバイスの制御コマンドの命令等を入力指示するものである。２０７はディスプレイであり、キーボード２０６から入力したコマンドや、プリンタの状態等を表示したりするものである。２０８はシステムバスであり、クライアントコンピュータ内のデータの流れを司るものである。
【００１８】
なお、フレキシブルディスク２０４に加えて、ＣＤ−ＲＯＭを読み取り可能なＣＤ−ＲＯＭドライブを備えていてもよい。
【００１９】
このように構成された印刷システムにおいて、はじめに顧客はプリントショップＰＳにおいて、従来例と同様にプリントデータに使用する写真、使用するテンプレート番号、住所等の付記情報を指示して、プリントの注文（年賀葉書のプリント注文）を行う。このとき顧客は注文書、あるいは口頭で、編集済みプリントデータの提供を同時に要求する。
【００２０】
プリントショップＰＳでは編集端末装置１０２をオペレータが操作して、前記指示内容に基づきプリントデータを作成する。そして、作成されたプリントデータは図２に示すような、例えばハードディスク２０５等に代表される外部記憶装置またはフレキシブルディスク２０４に代表される取り外し可能な記憶媒体に記憶される。
【００２１】
なお、前記外部記憶装置は編集端末装置１０２、サーバ装置１０１、あるいは他の情報処理端末のいずれに接続されていても良いものである。
【００２２】
次に、プリントショップＰＳはカラープリンタ１０６より所定枚数の出力を行い、図３に示すような編集済み出力結果２０００を顧客に引き渡す。
【００２３】
また、顧客からの要求に基づき、編集済みプリントデータ、および編集用アプリケーションソフトウェアをＣＤ−Ｒ等に代表される記憶媒体に格納し、顧客に引き渡す。
【００２４】
図３は、図１に示した編集端末装置１０２に接続されるカラープリンタ１０６から出力される注文プリント結果例を示す図である。
【００２５】
図３において、２００１は画像部分で、例えばＪＰＥＧ形式のイメージデータで構成される。通常、イメージデータは、図示しないデジタルカメラで撮像されて、コンパクトフラッシュ（登録商標）等の記録メディアに記録されている。なお、画像部分２００１が、ユーザが持ち込むソース（フィルム、ＣＤ−ＲＯＭ、ＦＤ、記録紙にプリントアウトされたもの）によって、編集端末装置１０２に接続される所定の入出力装置を介してデジタル化されるものであってもよい。
【００２６】
２００２は挨拶文部分（テキストデータ部分）で、編集端末装置１０２がユーザから指定されたポイントやフォントに従いレイアウトされる。
【００２７】
２００３は差出人部分（テキストデータ部分）で、ユーザ固有のテキストデータである。
【００２８】
図４は、図１に示した編集端末装置１０２により管理される顧客注文データの一例を示す図であり、例えば図１に示した編集端末装置１０２に接続可能な図示しないＣＤ−ＲＯＭドライブにセットされるメディア、例えばＣＤ−Ｒに記録する例に対応する。なお、ＣＤ−Ｒには、プリントショップＰＳから提供される編集ソフト（アプリケーション）が所定のアドレスに記録されており、ユーザがデータ処理装置１０５に備えるＣＤ−ＲＯＭドライブにＣＤ−Ｒをセットすることにより、同梱されている上記編集ソフトが起動できるように構成されている。
【００２９】
図４において、３０１はデータ保存先で、ユーザがブラウザを開いて、ＵＲＬを指示することにより、ネットワーク網１０４を介して、サーバ装置１０１にアクセスして、プリントショップのホームページを閲覧可能に構成されている。
【００３０】
３０２は顧客識別記号データで、プリントショップＰＳにプリント注文を行ったユーザを識別するための管理データとして機能する。
【００３１】
３０３はデータ本体部で、サーバ装置１０１に登録されているユーザのイメージを識別する識別情報と、該イメージとともに編集されたテキストデータが記憶されている。
【００３２】
ここで、プリントデータに対して、一部修正を施した上で、プリントの追加注文の必要が生じた場合を例にとり以下に述べる。
【００３３】
顧客は自宅ＨＯＭＥにある情報処理端末１０５を用いて、所望の編集処理を行う。ここで、情報処理端末１０５は図示しないモデム等のネットワーク制御装置、電話回線等を介してインターネットに接続できるものとする。
【００３４】
はじめにプリントショップＰＳで受け取った記憶媒体（例えばＣＤ−ＲＯＭ）上の編集アプリケーションソフトウェアを起動し、前記記憶媒体上のプリントデータを開く。アプリケーションはプリントデータをメモリ上に展開し、編集イメージを主画面上に表示する。
【００３５】
ここで、顧客はプリントデータに対して、図３に示した画像データ２００１に左右反転処理を施し、差出人部分２００３の名前である「太郎」を「花子」に変更するものとする。なお、上記操作は、顧客がアプリケーションのメニュー等所定位置に格納されている編集コマンド等を使用して所望の編集処理を行う。
【００３６】
そして、編集が終了すると、情報処理端末１０５の表示装置の画面に、編集後のプリントデータイメージが、例えば図５に示すように表示される。
【００３７】
図５は、図１に示した情報処理端末１０５の表示装置の画面に表示される編集処理済み画面例を示す図であり、図３に示した表示画面との差異は、イメージデータ２０１が左右反転処理されて、イメージデータ２００１Ｒとされ、さらに、テキストデータ２０３上の「太郎」が「花子」に修正された点である。
【００３８】
この時点で、顧客は情報処理端末（ユーザ端末）１０５上で動作中のアプリケーションのメニュー等所定位置にある「保存」指示を発行する。保存指示を受け取ったアプリケーションは前記記憶媒体上のオリジナルのプリントデータとメモリ上の編集済みデータとの差分を取得し、顧客識別記号と合わせた形式の、例えば図６に示すようなデータ形式の差分データを生成する。
【００３９】
図６は、図１に示した情報処理端末１０５上で作成される差分データの一例を示す図であり、該差分データがネットワーク網１０４を介してサーバ装置１０１に入稿される。
【００４０】
図６において、５０１は顧客番号部分で、図３に示した顧客識別記号データ２００３と同一のデータである。５０２は文字列差分部分データで、図４に示したデータ本体部３０３中で変更、削除、修正されたデータであり、修正や変更度合いが少ない程データ量が少ない。
【００４１】
５０３は画像差分部分データで、図５に示す例では、左右反転処理を行ったので、その編集内容を示すコマンドのみからなる。
【００４２】
続いて、アプリケーションはＴＣＰ／ＩＰ等の一般的な通信プロトコルに則って、図６に示した差分データをプリントショップＰＳの注文用のサーバ装置１０１に送信する。サーバ装置１０１のＵＲＬにはプリントデータに記載されている「ｈｔｔｐ：／／ｗｗｗ．ｐｒｉｎｔ−ｓｈｏｐ．ｃｏ．ｊｐ／」を指定する。
【００４３】
図７は、本発明に係る印刷システムにおける第１のデータ処理手順の一例を示すフローチャートであり、例えば図１に示したプリントショップＰＳ側の編集端末装置１０２によるデータ作成およびプリント処理手順に対応する。なお、（１）〜（８）は各ステップを示す。
【００４４】
まず、プリントショップＰＳで顧客から要求された画像データを取り込む（１）。なお、取り込みは、所定のデータ形式の画像データの場合は、そのまま読み込み、写真原稿であれば、スキャナから読み取ることにより画像データとして取り込む。
【００４５】
次に、所定のアプリケーションを起動して、取り込まれた画像を編集画面に設定される画像領域上に表示する（２）。そして、オペレータが顧客から指定された住所や差出人等のテキストデータを入力する（３）。そして、オペレータがテキストデータや画像データの位置やサイズ等を編集して割り付ける等のレイアウト処理を行う（４）。
【００４６】
そして、レイアウト状態を確認してＯＫかどうかを判断して（５）、ＹＥＳならば、編集されたプリントデータをカラープリンタ１０６に出力してプリントアウトする（６）。
【００４７】
次に、顧客注文情報（顧客識別記号）とともにプリントデータとからユーザ管理データを作成して（７）、ハードディスク等に該ユーザ管理データを登録し（８）、さらに、ユーザ管理データを所定のメディア、例えばＣＤ−Ｒ等に記憶させるとともに、該記憶されたユーザ管理データ中の編集を行うアプリケーションと、該編集後の注文データの依頼先を示す情報等を記憶させて（９）、処理を終了する。これにより、ユーザは、注文されたプリント結果と、付属するＣＤ−ＲをプリントショップＰＳで受け取り、該ＣＤ−Ｒを持ち帰り、ユーザ端末１０５で編集処理が可能となる。
【００４８】
図８は、本発明に係る印刷システムにおける第２のデータ処理手順の一例を示すフローチャートであり、例えば図１に示したユーザ端末１０５によるデータ修正およびプリント注文処理手順に対応する。なお、（１１）〜（１６）は各ステップを示す。
【００４９】
ユーザがプリントショップＰＳから付属として配布されたＣＤ−Ｒをユーザ端末のＣＤ−ＲＯＭドライブに装填して、該ＣＤ−Ｒに記憶されたアプリケーションを起動すると（１１）、図示しない編集画面をブラウザを介して表示し、該編集画面中の図示しないメニューを選択して、編集コマンドが選択されると、該アプリケーションがＣＤ−Ｒに記憶された画像データとテキストデータを読み出して編集画面にレイアウト表示（例えば図３の表示例参照）する（１２）。
【００５０】
ここで、ユーザが編集画面中の編集コマンドを選択して変更すべき指示を行い、テキストデータや画像データの変更を指示する（１３）。この結果を表示画面で確認して（１４）、ＯＫでないと判断した場合は、さらに、修正処理を行うため、ステップ（１３）へ戻り、ＯＫであると判断した場合は、登録された画像データやテキストデータと修正された画像データやテキストデータとを比較照合して、異なるデータとなる差分データ（図６に示すデータ例参照）を作成する（１５）。
【００５１】
次に、注文指示を行うため、編集画面に表示された転送先（例えばＵＲＬ）が指示されると、作成された差分データと顧客識別記号とを付加してプリントショップＰＳ宛にネットワーク網１０４を介して所定のプロトコルでデータ送信を行い（１６）、処理を終了する。
【００５２】
なお、本実施形態では、差分データを転送するので特に暗号化処理は必要ないが、すべての編集データを転送する構成とする場合には、転送すべき編集データに必要に応じて暗号化処理することは任意である。
【００５３】
以後、プリントショップＰＳより、注文されたプリントが完了した旨の通知を、例えば前記データ送信時に付加したユーザのメールアドレス等に行うことにより、プリントが完了して受け渡し可能であることをユーザに明示する。なお、郵送希望の場合には、郵送（宅配）処理としてもよい。
【００５４】
図９は、本発明に係る印刷システムにおける第３のデータ処理手順の一例を示すフローチャートであり、例えば図１に示したサーバ装置１０１によるユーザプリント注文処理手順に対応する。なお、（２１）〜（２９）は各ステップを示す。
【００５５】
ユーザよりネットワーク網１０４を介してサーバ装置１０１がプリントデータを受信すると（２１）、該転送されてきたプリントデータに付加されている顧客識別記号を取り出し、通知された顧客識別記号が顧客管理データベースを検索して照合する（２２）。
【００５６】
そして、通知された顧客識別記号が登録済みであるかどうかを判断して（２３）、登録済みでなければ、ステップ（２４）へ進み、所定のエラー処理（例えば通知先が指定されていれば、例えば電子メールでその旨を通知したり、電話で直接その旨を通知し、処理を終了する。なお、エラー処理として、放置処理も含まれる。
【００５７】
一方、ステップ（２３）で、通知された顧客識別記号が登録済みであると判断した場合には、受信した差分データを編集端末装置１０２へ送り、アプリケーションを起動して、ハードディスク等に登録済みの顧客登録データとマージして、新たなプリントデータを作成し（２５）、編集画面上で、オペレータがプリント注文のためのプリントを指示すると、新たに作成されたプリントデータをカラープリンタ１０６に出力してプリント処理を開始する（２６）。
【００５８】
次に、指示された枚数分のプリントが完了したかどうかを判断して（２７）、プリントが完了していないと判断した場合は、ステップ（２６）へ戻り、プリントが完了していると判断した場合は、ステップ（２１）で通知されたプリント注文時に受け取った顧客の連絡先情報に従い、その旨を顧客に通知して（２８）、処理を終了する。なお、ステップ（２８）における通知は、電話による通知であっても、電子メールによる通知であってもよく、顧客が任意に指定可能としている。
【００５９】
上記の処理によれば、ネットワーク網１０４上を流れるのは顧客識別記号および差分データのみであり、画像等大容量のデータを流すことがないためネットワークへの負荷を軽減できる。
【００６０】
また、顧客より送信される顧客識別記号はプリントショップでのみ意味を持つものであり、差分データもそれ自身では意味をなすものではないため、ＳＳＬ等のセキュリティレベルが高い特別なプロトコルを使うことなく個人情報等データの隠蔽を簡便に達成できるものである。
【００６１】
一方、顧客から注文データを受信したプリントショップでは、顧客識別記号をローカルの、例えばハードディスク上に保存したデータと照合する。この後、注文番号を発番し、顧客に電子メール等で注文準備が整ったことを知らせたり、データのマージ作業を行い実際にプリントしたものをサンプルとして郵送したりすることで顧客のプリント再利用を期待できる。
【００６２】
以下、図１０に示すメモリマップを参照して本発明に係る印刷システムにおけるデータ処理装置で読み出し可能なデータ処理プログラムの構成について説明する。
【００６３】
図１０は、本発明に係る印刷システムにおけるデータ処理装置で読み出し可能な各種データ処理プログラムを格納する記憶媒体のメモリマップを説明する図である。
【００６４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００６６】
本実施形態における図７，図８，図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００６７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００６８】
この場合、記憶媒体から読み出されたプログラムコード自体が本発明の新規な機能を実現することになり、そのプログラムコードを記憶した記憶媒体は本発明を構成することになる。
【００６９】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００７０】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７２】
本発明は上記実施形態に限定されるものではなく、本発明の趣旨に基づき種々の変形（各実施形態の有機的な組合せを含む）が可能であり、それらを本発明の範囲から排除するものではない。
【００７３】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１２について説明する。
【００７４】
〔実施態様１〕
プリントショップＰＳ側に備えるプリンタ（例えば図１に示すカラープリンタ１０６）と通信可能なデータ編集装置（例えば図１に示す編集端末１０２）と顧客のデータ処理装置（例えば図１に示すデータ処理装置１０５）とが通信し、該顧客が前記プリントショップに持ち込むデータをプリント注文指示に従って前記プリンタからプリントデータを出力して販売処理する印刷システムであって、顧客の注文要求に応じて、編集済みデータと、該編集済みデータを再編集するための実行ファイルと、該編集済みデータを編集するアプリケーションとを記憶媒体に保存させる制御手段（例えば図７に示すステップ（１）〜（９））を備えることを特徴とする印刷システム。
【００７５】
〔実施態様２〕
前記編集済みデータは、画像、テキスト、図形等の編集データ本体と共に、該データの保存先および顧客識別記号を内包することを特徴とする実施態様１記載の印刷システム。
【００７６】
〔実施態様３〕
プリントデータを再編集可能な実行ファイルは、データの保存先にデータ送信を行うことを可能とするファイルであることを特徴とする実施態様１記載の印刷システム。
【００７７】
〔実施態様４〕
顧客のデータ処理装置は、データの保存操作指示に従い、編集後データとオリジナルのデータの差分データを作成する作成手段（例えば図８に示すステップ（１５））と、前記作成手段により作成される差分データと顧客識別記号とを保存先へ送信する送信手段（例えば図８に示すステップ（１６））とを備えることを特徴とする実施態様１記載の印刷システム。
【００７８】
〔実施態様５〕
データ編集装置は、データの保存操作指示に従い、前記顧客のデータ処理装置よりネットワーク網を介して受信した差分データをユーザ別に登録されているオリジナルデータにマージして新たな出力データを生成する再編集処理手段（例えば図９に示すステップ（２１）〜（２８））を有することを特徴とする実施態様１記載の印刷システム。
【００７９】
〔実施態様６〕
プリントショップ側に備えるプリンタと通信可能なデータ編集装置と顧客のデータ処理装置とが通信し、該顧客が前記プリントショップに持ち込むデータをプリント注文指示に従って前記プリンタからプリントデータを出力して販売処理する印刷システムにおけるデータ処理方法であって、顧客の注文要求に応じて、編集済みデータと、該編集済みデータを再編集するための実行ファイルと、該編集済みデータを編集するアプリケーションとを記憶媒体に保存させる制御ステップ（例えば図７に示すステップ（１）〜（９））を備えることを特徴とするデータ処理方法。
【００８０】
〔実施態様７〕
前記編集済みデータは、画像、テキスト、図形等の編集データ本体と共に、該データの保存先および顧客識別記号を内包することを特徴とする実施態様６記載のデータ処理方法。
【００８１】
〔実施態様８〕
プリントデータを再編集可能な実行ファイルは、データの保存先にデータ送信を行うことを可能とするファイルであることを特徴とする実施態様６記載のデータ処理方法。
【００８２】
〔実施態様９〕
顧客のデータ処理装置において、データの保存操作指示に従い、編集後データとオリジナルのデータの差分データを作成する作成ステップ（例えば図８に示すステップ（１５））と、前記作成ステップにより作成される差分データと顧客識別記号とを保存先へ送信する送信ステップ（例えば図８に示すステップ（１６））とを備えることを特徴とする実施態様６記載のデータ処理方法。
【００８３】
〔実施態様１０〕
データ編集装置において、データの保存操作指示に従い、前記顧客のデータ処理装置よりネットワーク網を介して受信した差分データをユーザ別に登録されているオリジナルデータにマージして新たな出力データを生成する再編集処理ステップ（例えば図９に示すステップ（２１）〜（２８））を有することを特徴とする実施態様６記載のデータ処理方法。
【００８４】
〔実施態様１１〕
実施態様６〜１０のいずれかに記載のデータ処理方法を実現するプログラムを記憶したことを特徴とするコンピュータが読み取り可能な記憶媒体。
【００８５】
〔実施態様１２〕
実施態様６〜１０のいずれかに記載のデータ処理方法を実現することを特徴とするプログラム。
【００８６】
各実施態様によれば、保存先および顧客識別記号を内包したプリントデータおよびプリントデータ編集手段、およびそれらを顧客に提供する手段を設け、また、該プリントデータ編集手段は編集データを保存先に送信する手段を設けることにより、顧客自身によるデータ再編集が行え、また、プリントショップの立場では、プリントの再利用を見込める等の効果を奏する。
【００８７】
【発明の効果】
以上説明したように、本発明によれば、プリントショップ側に備えるプリンタと通信可能なデータ編集装置と顧客のデータ処理装置とが通信し、該顧客が前記プリントショップに持ち込むデータをプリント注文指示に従って前記プリンタからプリントデータを出力して販売処理する印刷システムにおいて、顧客の注文要求に応じて、編集済みデータと、該編集済みデータを再編集するための実行ファイルと、該編集済みデータを編集するアプリケーションとを記憶媒体に保存させることにより、注文されたプリントデータを顧客自身が自在に再編集して、プリントショップに再編集されたプリントデータの出力をプリントショップに対してネットワークに負担を強いることなく、再注文できる利便性に優れたプリントサービスを円滑に支援できるという効果を奏する。
【図面の簡単な説明】
【図１】本発明の一実施形態を示す印刷処理システムの一例を示す図である。
【図２】本発明の一実施形態を示すデータ処理装置の構成を説明するブロック図である。
【図３】図１に示した編集端末装置に接続されるカラープリンタから出力される注文プリント結果例を示す図である。
【図４】図１に示した編集端末装置により管理される顧客注文データの一例を示す図である。
【図５】図１に示した情報処理端末の表示装置の画面に表示される編集処理済み画面例を示す図である。
【図６】図１に示した情報処理端末上で作成される差分データの一例を示す図である。
【図７】本発明に係る印刷システムにおける第１のデータ処理手順の一例を示すフローチャートである。
【図８】本発明に係る印刷システムにおける第２のデータ処理手順の一例を示すフローチャートである。
【図９】本発明に係る印刷システムにおける第３のデータ処理手順の一例を示すフローチャートである。
【図１０】本発明に係る印刷システムにおけるデータ処理装置で読み出し可能な各種データ処理プログラムを格納する記憶媒体のメモリマップを説明する図である。
【符号の説明】
１０１  サーバ装置
１０２  編集端末装置
１０３  ローカルエリアネットワーク
１０４  ネットワーク網
１０５  情報処理端末
【図１】
2004192393.tif 000003
【図２】
2004192393.tif 000004
【図３】
2004192393.tif 000005
【図４】
2004192393.tif 000006
【図５】
2004192393.tif 000007
【図６】
2004192393.tif 000008
【図７】
2004192393.tif 000009
【図８】
2004192393.tif 000010
【図９】
2004192393.tif 000011
【図１０】
2004192393.tif 000012